(57)【要約】【課題】意図しないファスニングテープの剥がれを効果的に防止することができると共に、意図的にファスニングテープを剥がすことも容易である使い捨ておむつを提供する。【解決手段】本発明の使い捨ておむつは、縦長の吸収性本体５を有し、吸収性本体５は、着用時に着用者の腹側に位置する腹側部Ａ、背側に位置する背側部Ｂ、及び腹側部Ａと背側部Ｂとの間に配置される股下部Ｃを有し、吸収性本体５の背側部Ｂの左右両側には一対のファスニングテープ６，６を有し、腹側部Ａの非肌当接面側に、ファスニングテープを止着する被止着領域９を有する。ファスニングテープ６は、テープ基材６２と、その片面に固定されて止着部を形成するフック部材６３とを有しており、フック部材６３に、吸収性本体長手方向に配向したスリット６６が形成され、フック部材６３の、吸収性本体長手方向における両端部にスリット６６が延在していない非スリット部６６ｆを有する。【選択図】図３
2014100312.tif 000002
【特許請求の範囲】
【請求項１】
肌当接面側に表面シート、非肌当接面側に裏面シート、前記表面シートと裏面シートの間に吸収体を配置した縦長の吸収性本体を有し、該吸収性本体は、着用時に着用者の腹側に位置する腹側部、背側に位置する背側部、及び該腹側部と該背側部との間に配置される股下部を有し、該吸収性本体の背側部の左右両側には一対のファスニングテープを有し、腹側部の非肌当接面側に、ファスニングテープを止着する被止着領域を有する使い捨ておむつであって、
前記ファスニングテープは、テープ基材と、該テープ基材の片面に固定されて止着部を形成するフック部材とを有しており、前記フック部材に、吸収性本体長手方向に配向したスリットが形成されており、該フック部材の、吸収性本体長手方向における前後両端部に、前記スリットが延在していない非スリット部を有する使い捨ておむつ。
【請求項２】
前記スリットが、吸収性本体幅方向に間隔を設けて複数本形成されている、請求項１記載の使い捨ておむつ。
【請求項３】
複数の前記スリットは、それぞれの長さが、前記ファスニングテープの基端側から先端側に向かって徐々に短くなるように形成されている、請求項２記載の使い捨ておむつ。
【請求項４】
複数の前記スリットは、前記ファスニングテープの基端側から先端側にむかって間隔が狭くなるように形成されている、請求項２記載の使い捨ておむつ。
【請求項５】
前記フック部材は、前記テープ基材と接着された接着領域、及び該接着領域どうし間に位置し、該テープ基材と接着されていない非接着領域を有している、請求項１〜４の何れか１項記載の使い捨ておむつ。
【請求項６】
前記接着領域が、前記フック部材の吸収性本体長手方向及び吸収性本体幅方向の少なくとも一方の両端部に形成されている、請求項５記載の使い捨ておむつ。
【請求項７】
前記接着領域が、前記フック部材の吸収性本体幅方向の両端部に形成されており且つ少なくとも一箇所以上の前記スリット間に形成されている、請求項５記載の使い捨ておむつ。
【請求項８】
前記スリットが、前記フック部材及び前記テープ基材に、全体を貫通するか又は該フック部材を貫通してテープ基材の厚み方向の途中まで達するように一体的に形成されている、請求項１〜７の何れか１項記載の使い捨ておむつ。
【発明の詳細な説明】
【技術分野】
【０００１】
本発明は、使い捨ておむつに関する。
【背景技術】
【０００２】
従来、背側部の左右両側に設けられた一対のファスニングテープを、腹側部の外面に設けた被止着領域に脱着可能に止着して着用者に装着するようにした展開型の使い捨ておむつが知られている。
しかし、着用者である幼児がファスニングテープを引っ張ったり、幼児又は成人が着用中のおむつに衣類等が引っ掛かる場合があり、ファスニングテープが意図せずに被止着領域から剥がれてしまう場合がある。
この意図しない剥がれを防止するためには、ファスニングテープの被止着領域に対する係合力を強固にすれば良いが、その場合には、おむつの交換時等の意図的に剥がす場合にも、引き剥がし難くなってしまう。
【０００３】
ファスニングテープと被止着領域との係合に関する技術として、特許文献１には、複数のフック部材の小片を、小片間に隙間を設けた状態に固定して止着部を形成する技術が記載されている。
また、特許文献２には、非止着領域を形成するターゲットテープを、腹側部の幅方向中央部の両側それぞれに配置し、そのそれぞれの幅方向中央側を固定する一方、幅方向外方側を自由状態とすることで、トイレ等の狭い空間内で場所をとらずにファスニングテープを剥がせるようにする技術が記載されている。
また、特許文献３，４には、ファスニングテープを基材テープ部材と、基材テープ部材に固定されたフックテープ部材とから構成し、フックテープ部材を、複数の小片を隣接配置して構成することが記載されている。
【先行技術文献】
【特許文献】
【０００４】
【特許文献１】特開２００４−３４４５１４号公報
【特許文献２】特開２００８−７９６４１号公報
【特許文献３】特開２００８−１６１５７１号公報
【特許文献４】特開２０１１−２２９９８４号公報
【発明の概要】
【発明が解決しようとする課題】
【０００５】
しかし、特許文献１の技術においては、フック部材の小片間に隙間があるため、ファスニングテープに引き剥がす力が意図せずに加わったときに、最初の小片が剥がれると、その後の小片も連続して剥がれてしまい、意図しないファスニングテープの剥がれを効果的に防止することはできない。
特許文献２の技術は、トイレ等の狭い空間内で場所をとらずにファスニングテープを剥がせるようにする技術であり、意図しないファスニングテープの剥がれを効果的に防止することはできない。
特許文献３，４の技術は、剥離初期におけるフックテープ部材の接着面積が小さく、十分な初期係合力が得られないため意図しないファスニングテープの剥がれを効果的に防止することはできない。
【０００６】
従って、本発明の課題は、前述した従来技術が有する欠点を解消し得る使い捨ておむつを提供することにある。
【課題を解決するための手段】
【０００７】
本発明は、肌当接面側に表面シート、非肌当接面側に裏面シート、前記表面シートと裏面シートの間に吸収体を配置した縦長の吸収性本体を有し、該吸収性本体は、着用時に着用者の腹側に位置する腹側部、背側に位置する背側部、及び該腹側部と該背側部との間に配置される股下部を有し、該吸収性本体の背側部の左右両側には一対のファスニングテープを有し、腹側部の非肌当接面側に、ファスニングテープを止着する被止着領域を有する使い捨ておむつであって、前記ファスニングテープは、テープ基材と、該テープ基材の片面に固定されて止着部を形成するフック部材とを有しており、前記フック部材に、吸収性本体長手方向に配向したスリットが形成されており、該フック部材の、吸収性本体長手方向における前後両端部に、前記スリットが延在していない非スリット部を有する使い捨ておむつを提供するものである。
【発明の効果】
【０００８】
本発明の使い捨ておむつによれば、剥がし始めは比較的強い力を要し、剥がし始めると相対的に低い力で無理なく剥がせるということを達成することで、装着中の衝撃などで意図しないファスニングテープの剥がれを効果的に防止することができると共に、おむつの締めなおしなど意図的にファスニングテープを剥がすことも容易である。
特に、スリットの長手方向の両端が、フック部材の同方向の両端に達していないため、フック部材をひとつの部材として扱うことができ、フック材自体の強度も維持できるとともに後述する様々なメルトパターンの応用が可能となる。
【図面の簡単な説明】
【０００９】
【図１】図１は、本発明の一実施形態としての使い捨ておむつの斜視図である。
【図２】図２は、図１に示す使い捨ておむつを平面状に拡げた展開状態を示す一部破断平面図である。
【図３】図３は、図１に示すおむつのファスニングテープ及びその近傍を拡大して示す斜視図である。
【図４】図４は、図２のＩＩ−ＩＩ線断面図である。
【図５】図５は、図１に示す使い捨ておむつの作用効果を説明する説明図である。
【図６】図６は、本発明におけるスリットの形成態様の例を示す斜視図である。
【図７】図７は、本発明における接着領域及び非接着領域の形成態様の例を示す斜視図である。
【図８】図８は、本発明における強接着領域及び弱接着領域の形成態様の例を示す斜視図である。
【発明を実施するための形態】
【００１０】
以下、本発明の使い捨ておむつをその好ましい実施形態に基づき図面を参照しながら説明する。
本発明の一実施形態としての使い捨ておむつ１（以下、おむつ１という）は、図１及び図２に示すように、いわゆる展開型のおむつであり、肌当接面側に表面シート２、非肌当接面側に裏面シート３、前記表面シートと裏面シートの間に吸収体４を配置した縦長の吸収性本体５を有し、該吸収性本体５は、着用時に着用者の腹側に位置する腹側部Ａ、背側に位置する背側部Ｂ、及び該腹側部と該背側部との間に配置される股下部Ｃを有している。そして、吸収性本体５の背側部Ｂの左右両側には一対のファスニングテープ６，６を有し、腹側部Ａの非肌当接面側に、ファスニングテープを止着する被止着領域９１を有している。
尚、使い捨ておむつ１は、図１に示すように平面状に拡げた状態において、吸収性本体５と同方向に長い形状を有している。本明細書において、吸収性本体長手方向Ｘは、おむつを平面状に拡げた状態において、吸収性本体５の長手方向に沿う方向であり、吸収性本体幅方向Ｙは、おむつを平面状に拡げた状態において、吸収性本体５の幅方向に沿う方向である。
【００１１】
おむつ１について、より詳細に説明すると、吸収性本体５は、液透過性の表面シート２、液不透過性又は撥水性の裏面シート３及びこれら両シート間に介在された液保持性の吸収体４からなる基本構造を有しており、更に、弾性部材７１を有する立体ガード形成用シート７，７が左右両側部に配され、着用時には、立体ガード形成用シート７，７の内側縁側が起立して立体ガードが形成される。
【００１２】
おむつ１は、吸収性本体長手方向に延びる中央線ＣＬの左右両側が線対称の構造を有するため、以下においては、図２の右側のファスニングテープ６について説明するが、左側のファスニングテープ６も、左右対称とする以外は同一の構成を有することが好ましい。
【００１３】
おむつ１におけるファスニングテープ６は、図３及び図４に示すように、テープ基材６２と、該テープ基材６２の片面に固定されたフック部材６３とからなる。フック部材６３は、ファスニングテープ６の止着部６１を形成している。
テープ基材６２は、吸収性本体５を構成するシート間に固定された部分６２Ａと、吸収性本体５の背側部Ｂにおける側縁から延出して、ファスニングテープ６の一部を構成している部分とを有している。
【００１４】
フック部材６３は、図４に示すように、シート状のベースシート６４と、該ベースシート６４の表面から起立する多数の係合突起６５,６５・・・とからなる。このようなフック部材６３としては、例えば錨形や鉤形の係合突起を有するもの等を用いることができる。フック部材６３としては、公知の機械的面ファスナーのオス部材を用いることもでき、例えば「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。
また、ランディングテープ９１は、フック部材の係合突起に係合可能な表面構造を有するループ材からなり、腹側部Ｂにおけるランディングテープ９１からなる外面が、ファスニングテープ６、より具体的にはファスニングテープ６の止着部６１を脱着自在に止着する被止着領域９となっている。このようなループ材としては、フック部材を押しつけることにより、フック部材を止着可能なものを特に制限なく用いることができる。ループ材としては、公知の機械的面ファスナーのメス部材を用いることができ、例えば上述した各種公知の機械的面ファスナーにおけるメス部材を用いることができる。また、腹側部Ａの外表面を、フック部材の係合突起を直接係合可能な材料、例えば係合性に富む不織布から構成することにより、これをループ材として用いることもできる。
【００１５】
本実施形態のおむつ１におけるフック部材６３には、図３及び図４に示すように、吸収性本体長手方向Ｘに配向したスリット６６が複数本形成されており、それぞれのスリット６６の長手方向の両端６６ｅは、フック部材６３の同方向Ｘの両端６３ｅ，６３ｅに達していない。つまり、フック部材６３の、吸収性本体長手方向Ｘにおける前後両端部には、スリット６６が延在していない非スリット部６６ｆが形成されている。
【００１６】
本実施形態のおむつ１によれば、図１及び図５（ａ）に示すように、ファスニングテープ６が、被止着領域９に止着されている状態において、図５（ｂ）に示すように、該ファスニングテープ６の先端６ａ側に、ファスニングテープを引き剥がす力が加わったときに、フック部材６３における、スリット６６に挟まれた個々のスリット間領域６７が、個別に被止着領域９からの剥離に対する抵抗力を発現し、１つのスリット間領域６７が、被止着領域９から剥離しても、それより基端６ｂ側のスリット間領域６７が連続的に被止着領域９から剥離することが防止される。これに対して、特許文献１のように、フック部材の小片を、小片間に隙間を設けて、止着部を構成した場合には、先端６ａ側の最初の小片が被止着領域９から剥がれると、その後の小片も連続して剥がれてしまう。
このような作用により、本実施形態の使い捨ておむつによれば、意図しないファスニングテープ６の剥がれを効果的に防止することができる。また、フック部材６３として用いた部材自体の係合力を高めて剥離抵抗性を高めたのではないため、強い係合力に頼ることなく、無理のない力で剥がすことができる。
【００１７】
このような効果が、一層確実に奏されるようにする観点から、スリット６６の幅は、１ｍｍ未満であることが好ましく、より好ましくはスリットの幅はゼロである。スリットの幅はゼロとは、スリットを挟む両側部分が突き合わせた状態に接していることを意味する。つまり、フィルムをカッターナイフで切ったときの切り口線のようにスリットを通して裏面側が透けて見えないような状態が好ましい。
【００１８】
また、本実施形態のおむつ１においては、前述した通り、スリット６６の長手方向の両端が、フック部材６３の同方向の両端に達しておらず、フック部材６３の、吸収性本体長手方向Ｘにおける前後両端部に非スリット部６６ｆが形成されている。そのため、フック部材を剥がす時にフック部材をひとつの部材として扱うことができ、フック材自体の強度も維持できるとともに後述する様々なメルトパターンの応用が可能となる。剥がす際には、スリット両端部が剥がれ始めの基点となり、スムーズに剥がすことができる。
このような効果が、一層確実に奏されるようにする観点から、スリット６６の両端６６ｅそれぞれからその延長線上にあるフック部材の端部６３ｅまでの距離ｄ（非スリット部６６ｆ、図３参照）は、下限値は２ｍｍ以上、好ましくは３ｍｍ以上、上限値は１５ｍｍ以下、好ましくは５ｍｍ以下である。
【００１９】
また、本実施形態のおむつ１におけるフック部材６３は、図４に示すように、テープ基材６２と接着剤を介して接着された接着領域Ａ、及び接着領域Ａ，Ａどうし間に位置し、テープ基材６２と接着されていない非接着領域Ｎを有している。おむつ１におけるフック部材６３におけるフック部材６３のテープ基材６２に対する接着態様は、図４および図７（ｅ）に示す態様であり、幅方向両端部に２本, さらに中央部に位置するするスリット間領域６７に１本の吸収性本体長手方向に長い形状を有する接着領域を有している。また図５に示すようにスリット間に位置する領域６７の接着領域は非接着領域により挟まれて位置している。
【００２０】
ファスニング材をループ材から剥がす際に、非接着領域があると、非接着領域がない場合と比べて、相対的に大きな剥離力を要するので、意図せずに剥がれてしまうことを防止することができる。これは、剥がす際に、非接着領域にてファスニング材が引っ張られる方に弛みながら剥がれる為、剥がそうとする力が弛みで分散されてファスニング材とループ材の係合が外れにくく感じるのではと思われる。また、装着中に係合部に力が加わっても、かかる力は弛みである程度吸収されるので、誤って外れてしまうこともない。
そのため、スリット６６に挟まれた個々のスリット間領域６７が、個別に被止着領域９からの剥離に対する抵抗力を発現し、ファスニング部が何かに引っ掛って弱い力でも剥がれてしまうと言った意図しないファスニングテープ６の剥がれが一層効果的に防止される。
【００２１】
次に本発明の他の実施形態について、図６〜図８を参照して説明する。
図６（ａ）に示すように、スリット６６は、フック部材６３に一本のみ形成されていても良い。但し、図６（ｂ）〜図６（ｇ）に示すように、複数本形成されていることが、意図しない剥がれを防止する点から好ましい。
また、スリットは直線状であることが好ましいが、例えば、図６（ｅ）に示すようにジグザク状であっても良い。
また、複数本のスリット６６を形成する場合、それら複数のスリット６６は、図６（ｄ）及び図６（ｅ）に示すように、それぞれの長さが、ファスニングテープの基端側から先端側に向かって徐々に短くなっていることが、剥がし始めは比較的大きな力で剥がし、基端側に向かうにつれて、スリット長さが長くなるので、基端部ほど比較的弱い力でも剥がせるようになることから、装着中何かの衝撃で誤って剥がれてしまうことが抑えられ、意図したときに力を加えて、剥がれ始めるとスムーズに剥がし易いことから好ましい。図６〜図８の各図においては、右側がファスニングテープの先端６ａ側、左側がファスニングテープの基端６ｂ側である。スリットの長さは、吸収性本体長手方向に配向した複数のスリットそれぞれのスリットの長手方向の長さである。
【００２２】
また、複数本、特に３本以上のスリット６６を形成する場合、図６（ｆ）及び図６（ｇ）に示すように、それらのスリットは、スリット間の間隔を異ならせて形成しても良い。特に、図６（ｇ）に示すように、ファスニングテープの基端側から先端側にむかって間隔が狭くなるように形成することが意図的に剥がすことの容易さの点から好ましい。
【００２３】
また、フック部材６３は、図７（ａ）〜図７（ｆ）に示すように、テープ基材と接着された接着領域Ａ、及び接着領域どうし間に位置し、該テープ基材と接着されていない非接着領域Ｎを有していることが、十分な係合力の発現の点から好ましい。図７においては、ドットを付けた棒状体が接着剤を意味し、該接着剤の上に位置する部分が接着領域Ａであり、該接着剤の上に位置しない部分が非接着領域Ｎである。図７（ｅ）は、上述したおむつ１における、フック部材６３のテープ基材６２に対する接合態様である。
【００２４】
フック部材６３に、テープ基材と接着された接着領域Ａと、テープ基材に接着されていない非接着領域Ｎを形成する場合、図７（ａ）、図７（ｂ）に示すように、接着領域Ａを、フック部材６３の吸収性本体長手方向Ｘの両端部に形成することが、吸収性本体長手方向Ｘにおける接着領域Ａどうし間に位置する部分が、ファスニングテープを引き剥がす力が加わった際に、被止着領域９側に向かって凸状に変形して、個々のスリット間領域６７が個別に優れた剥離抵抗性を示し、意図しないファスニングテープの剥がれが一層確実に防止される点から好ましい。接着領域Ａが、フック部材６３の吸収性本体長手方向Ｘ又は吸収性本体幅方向Ｙの両端部に形成されているという表現には、フック部材６３の同方向の端部に、ドライエッジ等と呼ばれる幅が２ｍｍ以下の微小な非接着領域を有する場合も含まれる。
【００２５】
また、例えば、図８（ａ）、図８（ｂ）及び図８（ｄ）に示すように、フック部材６３は、テープ基材と接着された接着領域Ａとして、テープ基材に強固に接着された強接着領域Ａ１と、該強接着領域に比して弱く接着された弱接着領域Ａ２を有することも、意図しないファスニングテープの剥がれを防止する点から好ましい。
また、その場合、図８（ａ）に示すように、強接着領域Ａ１が、フック部材６３の吸収性本体幅方向Ｙの両端部に形成された幅方向強接着領域を有していることが、意図しないファスニングテープの剥がれを防止する点から一層好ましい。他方、図８（ｂ）に示すように、強接着領域Ａ１が、フック部材６３の吸収性本体長手方向Ｘの両端部に形成された長手方向強接着領域を有していることが、意図的に剥がすことの容易さの点から一層好ましい。さらに図８（ｄ）に示すように、吸収性本体幅方向Ｙの両端部及び吸収性本体長手方向Ｘの両端部に形成された強接着領域Ａ２を有していることが、意図的に剥がすことの容易さの点から一層好ましい。
【００２６】
また、図８（ｃ）に示すように、強接着領域Ａ１が、フック部材の吸収性本体長手方向Ｘの両端部に形成される一方、弱接着領域Ａ２が、強接着領域Ａ１，Ａ１間に形成されており、その弱接着領域Ａ２の接着力が、ファスニングテープの先端側から基端側に向かって漸減していることも、意図的に剥がすことの容易さの点から一層好ましい。
【００２７】
また、上述した何れの実施形態についても、スリット６６は、フック部材６３のみに形成されていても良いが、それぞれのスリット６６を、フック部材６３及びテープ基材６２の全体を貫通する、あるいはテープ基材の厚み方向途中まで形成するように一体的に形成することもできる。スリット６６が、フック部材６３のみならずテープ基材６２にも亘っている形態は、製造時においてフック部材とテープ部材を接着してからのスリットの導入を可能にする点から好ましい。
【００２８】
おむつ１における各部の形成材料について説明すると、表面シート２、裏面シート３、吸収体４、立体ガード形成用シート７の形成材料としては、従来の使い捨ておむつにおいて、それぞれ材料として用いられている各種公知の材料等を、特に制限なく用いることができる。例えば、表面シート２としては、不織布や開孔フィルム等の各種液透過性のシート材を用いることができ、裏面シート３としては、透湿性を有しない樹脂フィルムや、微細孔を有し、透湿性を有する樹脂フィルム、撥水不織布等の不織布、これらと他のシートとのラミネート体等を用いることができ、吸収体４としては、解繊パルプ等の親水性繊維からなる繊維集合体又はこれに高吸収性ポリマーを保持させたもの等を用いることができる。
【００２９】
テープ基材６２の形成材料としては、ポリエチレンや、ポリプロピレン、ポリエチレンテレフタレート等などの合成樹脂、及びこれら合成樹脂２種以上の複合材料からなるシートや不織布等を用いることができる。
【００３０】
以上、本発明の好ましい実施形態について説明したが、本発明は、上述した実施形態に制限されず、本発明の趣旨を逸脱しない範囲で種々変更が可能である。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００３１】
上述した実施形態に関し、さらに以下の使い捨ておむつを開示する。
＜１＞肌当接面側に表面シート、非肌当接面側に裏面シート、前記表面シートと裏面シートの間に吸収体を配置した縦長の吸収性本体を有し、該吸収性本体は、着用時に着用者の腹側に位置する腹側部、背側に位置する背側部、及び該腹側部と該背側部との間に配置される股下部を有し、該吸収性本体の背側部の左右両側には一対のファスニングテープを有し、腹側部の非肌当接面側に、ファスニングテープを止着する被止着領域を有する使い捨ておむつであって、
前記ファスニングテープは、テープ基材と、該テープ基材の片面に固定されて止着部を形成するフック部材とを有しており、前記フック部材に、吸収性本体長手方向に配向したスリットが形成されており、該フック部材の、吸収性本体長手方向における前後両端部に、前記スリットが延在していない非スリット部を有する使い捨ておむつ。
＜２＞前記スリットが、吸収性本体幅方向に間隔を設けて複数本形成されている、前記＜１＞記載の使い捨ておむつ。
＜３＞複数の前記スリットは、それぞれの長さが、前記ファスニングテープの基端側から先端側に向かって徐々に短くなるように形成されている、前記＜２＞記載の使い捨ておむつ。
＜４＞複数の前記スリットは、前記ファスニングテープの基端側から先端側にむかって間隔が狭くなるように形成されている、前記＜２＞又は＜３＞記載の使い捨ておむつ。
＜５＞前記フック部材は、前記テープ基材と接着された接着領域、及び該接着領域どうし間に位置し、該テープ基材と接着されていない非接着領域を有している、前記＜１＞〜＜４＞の何れか１に記載の使い捨ておむつ。
＜６＞前記接着領域が、前記フック部材の吸収性本体長手方向及び吸収性本体幅方向の少なくとも一方の両端部に形成されている、前記＜５＞記載の使い捨ておむつ。
＜７＞前記接着領域が、前記フック部材の吸収性本体幅方向の両端部に形成されており且つ少なくとも一箇所以上の前記スリット間に形成されている、前記＜５＞記載の使い捨ておむつ。
＜８＞前記フック部材は、前記テープ基材と接着された接着領域として、該テープ基材に強固に接着された強接着領域と、該強接着領域に比して弱く接着された弱接着領域を有している、前記＜１＞〜＜７＞の何れか１に記載の使い捨ておむつ。
＜９＞前記強接着領域が、前記フック部材の吸収性本体幅方向の両端部に形成された幅方向強接着領域を有している、前記＜８＞記載の使い捨ておむつ。
＜１０＞前記強接着領域が、前記フック部材の吸収性本体長手方向の両端部に形成された長手方向強接着領域を有し、前記弱接着領域が、該長手方向強接着領域間に形成されており、且つ前記弱接着領域の接着力が、ファスニングテープの先端側から基端側に向かって漸減している、前記＜８＞又は＜９＞記載の使い捨ておむつ。
＜１１＞前記スリットが、前記フック部材及び前記テープ基材に一体的に形成されている、前記＜１＞〜＜１０＞の何れか１に記載の使い捨ておむつ。
＜１２＞前記スリットは、前記フック部材及びテープ基材の全体を貫通するか又は該フック部材を貫通してテープ基材の厚み方向の途中まで達するように一体的に形成されている前記＜１＞〜＜１１＞の何れか１に記載の使い捨ておむつ。
＜１３＞前記ファスニングテープに形成されたフック部材は、シート状のベースシートと、該ベースシートの表面から起立する多数の係合突起とからなり、このようなフック部材は、錨形又は鉤形の係合突起である前記＜１＞〜＜１２＞の何れか１に記載の使い捨ておむつ。
＜１４＞前記スリットの幅は、１ｍｍ未満であり、好ましくはスリットの幅はゼロである前記＜１＞〜＜１３＞の何れか１に記載の使い捨ておむつ。
＜１５＞前記スリットを挟む両側部分が突き合わせた状態に接している前記＜１＞〜＜１４＞の何れか１に記載の使い捨ておむつ。
＜１６＞前記スリットの両端それぞれからその延長線上にあるフック部材の端部までの距離ｄは、２〜１５ｍｍであり、より好ましくは３〜５ｍｍである前記＜１＞〜＜１５＞の何れか１に記載の使い捨ておむつ。
＜１７＞前記フック部材に形成されたスリットは直線状又はジグザク状である前記＜１＞〜＜１６＞の何れか１に記載の使い捨ておむつ
＜１８＞前記接着領域が、フック部材の吸収性本体長手方向又は幅方向の両端部に形成されて、フック部材の前記何れかの方向の端部に、ドライエッジとして幅が２ｍｍ以下の微小な非接着領域を有する前記＜１＞〜＜１７＞何れか１に記載の使い捨ておむつ。
＜１９＞前記表面シートは、不織布や開孔フィルム等の液透過性のシート材を用いる前記＜１＞〜＜１８＞の何れか記載の使い捨ておむつ。
＜２０＞前記裏面シートは、透湿性を有しない樹脂フィルムや、微細孔を有し、透湿性を有する樹脂フィルム、撥水不織布等の不織布、これらと他のシートとのラミネート体を用いる前記＜１＞〜＜１９＞の何れか１に記載の使い捨ておむつ。
＜２１＞前記吸収体は、解繊パルプ等の親水性繊維からなる繊維集合体又はこれに高吸収性ポリマーを保持させたものを用いる前記＜１＞〜＜２０＞の何れか１に記載の使い捨ておむつ。
【符号の説明】
【００３２】
１  使い捨ておむつ
２  表面シート
３  裏面シート
４  吸収体
５  本体
６  ファスニングテープ
６１  止着部
６２  テープ基材
６３  フック部材
６４  ベースシート
６５  係合突起
６６  スリット
６６ｅ  スリットの長手方向の端部
６６ｆ  非スリット部
６７  スリット間領域
７１  弾性部材
９  被止着領域
９１  ランディングテープ
Ａ  接着領域
Ｎ  非接着領域
Ａ１  強接着領域
Ａ２  弱接着領域
【図１】
2014100312.tif 000003
【図２】
2014100312.tif 000004
【図３】
2014100312.tif 000005
【図４】
2014100312.tif 000006
【図５】
2014100312.tif 000007
【図６】
2014100312.tif 000008
【図７】
2014100312.tif 000009
【図８】
2014100312.tif 000010